(57)【要約】【課題】  効率よく迅速で簡単に文字等を画像に付与できる文字付きプリント作成方法および文字付きプリント作成システムを提供する。【解決手段】  プリント仕上げ業者が注文者より注文を受けて文字部と画像部よりなる文字付きプリントを作成する文字付きプリント作成方法において、少なくとも前記注文者からの文字付きプリントに関する過去のデータを蓄積し、蓄積したデータを検索し少なくとも一部を利用して前記注文者からの注文内容に基づき前記文字部を作成し、前記文字部と前記注文者からの記録された画像情報による前記画像部とを合成して文字付きプリントを作成することを特徴とする文字付きプリント作成方法。【選択図】        図１
2006067053.tif 000002
【特許請求の範囲】
【請求項１】
プリント仕上げ業者が注文者より注文を受けて文字部と画像部よりなる文字付きプリントを作成する文字付きプリント作成方法において、
少なくとも前記注文者からの文字付きプリントに関する過去のデータを蓄積し、
蓄積したデータを検索し少なくとも一部を利用して前記注文者からの注文内容に基づき前記文字部を作成し、
前記文字部と前記注文者からの記録された画像情報による前記画像部とを合成して文字付きプリントを作成することを特徴とする文字付きプリント作成方法。
【請求項２】
前記文字部は、複数のブロックを有することを特徴とする請求項１に記載の文字付きプリント作成方法。
【請求項３】
前記ブロックの配列は、文字付きプリントを正面より見て縦に配列するブロック縦配列、または横に配列するブロック横配列であることを特徴とする請求項２に記載の文字付きプリント作成方法。
【請求項４】
前記ブロック縦配列は少なくとも上段、中央、下段の１つを含み、前記ブロック横配列は少なくとも左詰め、中央、右詰め、均等の１つを含むことを特徴とする請求項３に記載の文字付きプリント作成方法。
【請求項５】
ブロック内の文字高さは予め前記ブロックの高さと関係づけられていることを特徴とする請求項２、３または４に記載の文字付きプリント作成方法。
【請求項６】
前記ブロックは文字付きプリントを正面より見て縦方向に複数の小ブロックを有することを特徴とする請求項２、３または４に記載の文字付きプリント作成方法。
【請求項７】
前記文字部は、少なくとも文字、数字、ロゴマーク、新規作成文字、図案、記号の１つが使用されることを特徴とする請求項１から６のいずれか１項に記載の文字付きプリント作成方法。
【請求項８】
蓄積データは、注文者からのオーダーごとに、予め決められた分類コード、および／またはキーワードが付与され、前記分類コードまたは前記キーワードにより検索可能であることを特徴とする請求項１から７のいずれか１項に記載の文字付きプリント作成方法。
【請求項９】
蓄積データは、少なくとも前記ブロックの配列、前記ブロックの位置、ブロック内の写し込み内容の１つを含むことを特徴とする請求項１から７のいずれか１項に記載の文字付きプリント作成方法。
【請求項１０】
プリント仕上げ業者が注文者より注文を受けて文字部と画像部よりなる文字付きプリントを作成する文字付きプリント作成システムにおいて、
少なくとも注文者からの文字付きプリントに関する過去のデータを蓄積する手段と、
蓄積したデータを検索し少なくとも一部を利用して前記注文者からの注文内容に基づき前記文字部を作成する手段と、
前記文字部と注文者からの記録された画像部とを合成する合成手段と、
前記合成手段による合成後にプリントする手段と、
を備えたことを特徴とする文字付きプリント作成システム。
【請求項１１】
蓄積データは、注文者からのオーダーごとに、予め決められた分類コード、および／またはキーワードが付与され、前記分類コードまたは前記キーワードにより検索可能であることを特徴とする請求項１０に記載の文字付きプリント作成システム。
【発明の詳細な説明】
【技術分野】
【０００１】
本発明は、文字付きプリント作成方法及び文字付きプリント作成システムに関する。
【背景技術】
【０００２】
文字付きプリントは画像と同時に文字が入ったプリントである。文字付きプリントとして、年間行事で繰り返される学校関係の卒業式、遠足、運動会、学芸会等のプリントがあり、また、企業関係の入社式、慰安旅行等のプリントがある。
【０００３】
従来より、画像以外に図案等を合成できるプリントシステムとして、繰り返し使用されるテンプレートを記憶しておき、このテンプレートを呼び出して画像データを選択されたテンプレートと合成してテンプレート付プリント（レイアウトプリントともいう）が作成可能なシステムがある（特許文献１参照）。
【０００４】
また、文字付きプリントシステムとして、プリント仕上げ業者が注文者より文字付きプリントの注文を受けとり、文字入れ内容と記録された画像記録媒体を受け取り、注文のたびに文字部の編集を行い、文字部と記録された画像部とを合成して文字付きプリントを作成するシステムがある。
【特許文献１】特開２０００−７８５０３号公報
【発明の開示】
【発明が解決しようとする課題】
【０００５】
しかしながら、文字付きプリントシステムでは、過去に作成した文字付きプリントと類似したものも多い場合、注文者からの注文のたびに類似したものでも新たに文字部内の文字の配置、文字の種類等の編集を行っており作業効率が悪いという問題がある。
【０００６】
本発明は上記の課題に鑑みなされたもので、本発明の目的は、効率よく迅速で簡単に文字等を画像に付与できる文字付きプリント作成方法および文字付きプリント作成システムを提供することにある。
【課題を解決するための手段】
【０００７】
上記の目的は下記の手段のいずれかに達成される。
（１）プリント仕上げ業者が注文者より注文を受けて文字部と画像部よりなる文字付きプリントを作成する文字付きプリント作成方法において、少なくとも前記注文者からの文字付きプリントに関する過去のデータを蓄積し、蓄積したデータを検索し少なくとも一部を利用して前記注文者からの注文内容に基づき前記文字部を作成し、前記文字部と前記注文者からの記録された画像情報による前記画像部とを合成して文字付きプリントを作成することを特徴とする文字付きプリント作成方法。
（２）前記文字部は、複数のブロックを有することを特徴とする（１）に記載の文字付きプリント作成方法。
（３）前記ブロックの配列は、文字付きプリントを正面より見て縦に配列するブロック縦配列、または横に配列するブロック横配列であることを特徴とする（２）に記載の文字付きプリント作成方法。
（４）前記ブロック縦配列は少なくとも上段、中央、下段の１つを含み、前記ブロック横配列は少なくとも左詰め、中央、右詰め、均等の１つを含むことを特徴とする（３）に記載の文字付きプリント作成方法。
（５）ブロック内の文字高さは予め前記ブロックの高さと関係づけられていることを特徴とする（２）、（３）または（４）に記載の文字付きプリント作成方法。
（６）前記ブロックは文字付きプリントを正面より見て縦方向に複数の小ブロックを有することを特徴とする（２）、（３）または（４）に記載の文字付きプリント作成方法。
（７）前記文字部は、少なくとも文字、数字、ロゴマーク、新規作成文字、図案、記号の１つが使用されることを特徴とする（１）から（６）のいずれか１項に記載の文字付きプリント作成方法。
（８）蓄積データは、注文者からのオーダーごとに、予め決められた分類コード、および／またはキーワードが付与され、前記分類コードまたは前記キーワードにより検索可能であることを特徴とする（１）から（７）のいずれか１項に記載の文字付きプリント作成方法。
（９）蓄積データは、少なくとも前記ブロックの配列、前記ブロックの位置、ブロック内の写し込み内容の１つを含むことを特徴とする（１）から（７）のいずれか１項に記載の文字付きプリント作成方法。
（１０）プリント仕上げ業者が注文者より注文を受けて文字部と画像部よりなる文字付きプリントを作成する文字付きプリント作成システムにおいて、少なくとも注文者からの文字付きプリントに関する過去のデータを蓄積する手段と、蓄積したデータを検索し少なくとも一部を利用して前記注文者からの注文内容に基づき前記文字部を作成する手段と、前記文字部と注文者からの記録された画像部とを合成する合成手段と、前記合成手段による合成後にプリントする手段と、を備えたことを特徴とする文字付きプリント作成システム。
（１１）蓄積データは、注文者からのオーダーごとに、予め決められた分類コード、および／またはキーワードが付与され、前記分類コードまたは前記キーワードにより検索可能であることを特徴とする（１０）に記載の文字付きプリント作成システム。
【発明の効果】
【０００８】
以上のように構成したので下記のような効果を奏する。請求項１、１０に記載の発明によれば、少なくとも注文者からの文字付きプリントに関する過去のデータを蓄積し、蓄積したデータを利用して注文者からの注文内容に基づき文字編集を行い、文字部と注文者からの記録された画像情報とを合成して文字付きプリントを作成するので、効率よく迅速で簡単に文字を画像に付与できる文字付きプリントを作成できるようになった。
【０００９】
請求項２に記載の発明によれば、文字部は複数のブロックに分けられるので、見やすくなった。
【００１０】
請求項３に記載の発明によれば、ブロックの配列は、少なくとも縦列に分けるブロック縦配列、横列に分けるブロック横配列の１つを有するので、ブロックの配列が指定できるようになった。
【００１１】
請求項４に記載の発明によれば、ブロック縦配列は、上段、中央、下段の１つを含むみ、ブロック横配列は、左詰め、中央、右詰め、均等の１つを含むので、ブロックの各配列選択の自由度が広がった。
【００１２】
請求項５に記載の発明によれば、ブロック内の文字高さは予めブロック高さと関係づけられているので、編集がしやすくなった。
【００１３】
請求項６に記載の発明によれば、ブロック内は上下方向に複数の小ブロックが設けられているので、編集の自由度が広がった。
【００１４】
請求項７に記載の発明によれば、文字部は、少なくとも文字、数字、ロゴマーク、新規作成文字、図案、記号の１つが使用されるので、編集の自由度が広がった。
【００１５】
請求項８または１１に記載の発明によれば、蓄積データは、注文者からのオーダーごとに、予め決められた分類コード、および／またはキーワードが付与され、分類コードまたはキーワードにより検索が可能となった。
【００１６】
請求項９に記載の発明によれば、蓄積データは、少なくとも文字部内のブロックの位置、ブロックの配列方法、ブロック内の写し込み内容、文字タイプの１つを含むので、蓄積データの利用範囲が広がった。
【発明を実施するための最良の形態】
【００１７】
実施の形態の文字付きプリント作成システムにつて図面を参照して説明する。図１は文字付きプリント作成システム１０を示す概略図である。図１に示すように、文字付きプリント作成システム１０は、キーボード２０、スキャナ３０、ディスプレイ４０、コントロール部５０、メモリ６０及びデジタルプリンタ７０等で構成されている。
【００１８】
キーボード２０は、文字付きプリント作成システムに必要な情報を入力する入力部であり、注文票Ｎ（図２）からの文字付きプリントに必要な各種注文情報の入力、検索のための入力、文字部を編集するための各操作入力、デジタルプリンタ作動のための操作入力等に用いられる。また、スキャナ３０は、文字部に使用されるロゴマーク、図案、特殊文字等を読み取る機器である。さらに、ディスプレイ４０は、文字付きプリントを作成に必要な各種画像を表示する表示部であり、表示内容としては、注文内容を入力するための注文様式の表示、検索した登録番号の表示、さらに、検索のためのコード化テーブル、キーワード内容の表示等もできる。
【００１９】
メモリー６０は、データはプリント１枚ごとにカード形式で記憶され、注文者のプリント１枚ごとの注文者の氏名、文字記号の内容等が記憶され、さらに、分類コード、キーワードが記憶される。また、メモリー６０は、部分的に利用しやすいように、例えば、ブロック分け枠のデータとブロック内の写し込み内容とが別々に蓄積され、プリントサイズの変更に利用しやすいように文字部の面積を拡大、縮小ができるように記憶され、プリントサイズの拡大縮小比率と文字等の拡大縮小比率を変えることができるように記憶されている。さらに、コントロール部５０は、文字付きプリント作成システムをシーケンシャルに制御し、スキャナ３０、キーボード２０、ディスプレイ４０等を制御する。また、コントロール部５０は、蓄積したデータを検索し、少なくとも一部を利用して注文者からの注文内容に基づき文字部を作成する手段を有し、文字部と注文者からの記録された画像部とを合成する合成手段を有し、さらに登録番号、キーワード、分類コード等から検索できる手段を有し、また複数の登録番号を同一画面に表示して視覚的に検索できるよう制御している。キーワードと分類コードの組み合わせによる検索もできるよう制御している。
【００２０】
デジタルプリンタ７０は、文字部と画像部が合成された画像データに基づきプリントする機器である。また、メモリカードＭは、文字付きプリントに使用する画像が記録媒体にメモリーされたもので、この実施の形態では、メモリカードＭには運動会の集合写真に関する画像データが記憶されている。さらに、文字付きプリントＰは文字部Ｐｂと画像部Ｐａより構成されているが、詳しくは図５により後述する。
【００２１】
ここで、文字付きプリント注文票について説明する。図２は文字付きプリント注文票Ｎの一例を示す図である。図２に示すように、文字付きプリン注文票Ｎは、注文者の注文内容を記載するものであり、注文者の名前、注文日付、プリントサイズ、数量、さらに文字部ｐｂの内容欄がある。この例では、ブロックはＰｂ１〜Ｐｂ４の４つがあり、各ブロックは４つの小ブロックまでレイアウト可能となっている。
【００２２】
次に、コード化テーブルについて説明する。図３はコード化テーブル６０Ｍの一例を示す図である。コード化テーブル６０Ｍは、注文者のオーダー毎に記憶された各データに、分類コードを付与するためのテーブルである。図３に示すように、コード化テーブルは、コード化されており、例えば、コード番号ＡＡ００は注文者情報関係であり、コード番号ＡＡ０１は注文者の名前であり、コード番号ＡＡ０２は注文者の登録番号となっている。また、コード番号ＡＡ１０は学校関係であり、コード番号ＡＡ１１は学校名であり、コード番号ＡＡ１２は運動会となっている。また、コード番号ＡＡ２０は企業関係であり、コード番号ＡＡ２１は入社式であり、コード番号ＡＡ２２は旅行となっている。さらにコード番号ＡＡ３０はブロック横配列関係であり、コード番号ＡＡ３１は左詰めであり、コード番号ＡＡ３２は中詰めとなっている。
【００２３】
検索の方法は、コード化テーブルを使用する場合、例えば、論理式でコード番号ＡＡ０１＊ＡＡ１２＊ＡＡ３１を選択をすると、注文者ごとの運動会、左詰めプリントに関する蓄積データが検索できる。また、論理式でコード番号ＡＡ０１＊ＡＡ１２を選択をすると、注文者ごとの運動会プリントに関する蓄積データが検索できるようになっている。また、コード化テーブルと同様にして、予めキーワードが付与されており、キーワードにより検索できるようにもなっている。
【００２４】
次に、文字部のブロックについて説明する。文字部は、所定数のブロックに分けている。ブロックの配列は縦列に分けるブロック縦配列、横列に分けるブロック横配列がある。ブロック縦配列は、上段、中央、下段の１つを含むみ、ブロック横配列は、左詰め、中央、右詰め、均等を含む。
【００２５】
図４は文字部のブロック横配列を示す平面図である。４つのブロックはＰｂ１、Ｐｂ２、Ｐｂ３、Ｐｂ４である。図４（ａ）は、４つのブロックを左詰めにしたタイプ、図４（ｂ）は、４つのブロックを中詰めにしたタイプ、図４（ｃ）は、４つのブロックを右詰めにしたタイプ、さらに、図４（ｄ）は、４つのブロックを均等に配分したタイプをそれぞれ示している。実施の形態では、図４（ａ）に示す左詰めタイプを使用している。
【００２６】
ブロック内の文字高さは予めブロック高さと関係づけられており、さらにブロック内は各行に分けられている。文字部では、少なくとも文字、数字、ロゴマーク、新規作成文字、図案、記号の１つが使用される。
【００２７】
次に、文字付きプリント例について説明する。図５は文字付きプリントＰの一例を示す平面図である。図５に示すように、文字付きプリントＰは、画像部Ｐａと文字部Ｐｂで構成されている。文字部Ｐｂには、第１ブロックＰｂ１、第２ブロックＰｂ２、第３ブロックＰｂ３、第４ブロックＰｂ４の４つに分かれている。第１ブロックＰｂ１には校章、第２ブロックＰｂ２には題名、第３ブロックＰｂ３には年月日と学校名が配置されている。なお、この実施の形態ではブロックＰｂ４は使用していない。
【００２８】
ここで、文字付きプリント作成システムの実施の形態により、本発明の文字付きプリントの作成方法について図１、図２および図６を参照して説明する。図６は文字付きプリントの作成方法を示すフローチャートを示す図である。
ステップＦ０１：注文者が注文票Ｎ（図２参照）を作成する。
ステップＦ０２：注文票Ｎに基づき、注文内容を文字付きプリント作成システムに入力する。
ステップＦ０３：メモリ６０（図１）に蓄積されたデータからコード化テーブル６０Ｍより、文字部の編集に利用する情報を検索する。この例では注文者の過去のデータより運動会と左詰めに関するデータを抽出する。
ステップＦ０４：文字部の編集（図４）を行う。蓄積データを利用して、行事名、学校名、校章、日付等を左詰めの文字部の編集を行う。例えば、同じ学校の過去の運動会のデータがあれば、日付のみの変更ですむこととなる。
ステップＦ０５：メモリカードＭ（図１）からの画像と、前述の文字部とを合成するための画像処理をコントロール部５０で行う。
ステップＦ０６：デジタルプリンタ７０で文字付きプリントを作成する。
ステップＦ０７：注文者への納品の処理を行う。
ステップＦ０８：注文者が文字付きプリントを受け取る。以上のようにして、文字付きプリントが作成される。
【００２９】
ここで、他の文字部のブロック配列例について説明する。図７は文字部の他のブロック配列例を示す図である。ブロックは横配列で左詰めとなっている。ブロックは４つあり、ブロックＰｂ２は上揃え、Ｐｂ３下揃え、Ｐｂ４は中揃えとなっている。
【００３０】
また、図８は他の文字部のブロック配列例を示す図である。さらに詳しくは図８は、図７に示した配列を文字部の上部、中央、下部に配置した例である。図８（ａ）は上部に揃えた例、図８（ｂ）は中央に揃えた例、図８（ｃ）は下部に揃えた例をそれぞれ示している。
【００３１】
さらに、図９は他の文字部のブロック配列例を示す図である。ブロックＰｂ１は左詰め、ブロックＰｂ２は中詰め、Ｐｂ３は右詰め、Ｐｂ４は均等にした例である。
【図面の簡単な説明】
【００３２】
【図１】本発明の文字付きプリント作成システムを示す構成図である。
【図２】注文票の一例を示す平面図である。
【図３】コード化テーブルの一例を示す平面図である。
【図４】文字部のブロック配列例を示す平面図である。
【図５】文字付きプリントの一例を示す平面図である。
【図６】文字付きプリントの作成方法を示すフローチャートである。
【図７】他の文字部のブロック配列例を示す平面図である。
【図８】他の文字部のブロック配列例を示す平面図である。
【図９】他の文字部のブロック配列例を示す平面図である。
【符号の説明】
【００３３】
１０  プリントシステム
２０  キーボード
３０  スキャナ
４０  ディスプレイ
５０  コントロール部
６０  メモリ
６０Ｍ  コード化テーブル
７０  デジタルプリンタ
Ｎ  文字付きプリント注文票
Ｐ  文字付きプリント
Ｐａ  画像部
Ｐｂ  文字部
Ｐｂ１  第１ブロック
Ｐｂ２  第２ブロック
Ｐｂ３  第３ブロック
Ｐｂ４  第４ブロック
【図１】
2006067053.tif 000003
【図２】
2006067053.tif 000004
【図３】
2006067053.tif 000005
【図４】
2006067053.tif 000006
【図５】
2006067053.tif 000007
【図６】
2006067053.tif 000008
【図７】
2006067053.tif 000009
【図８】
2006067053.tif 000010
【図９】
2006067053.tif 000011